(57)【要約】【課題】外壁目地内に弾性変形しつつ押し込まれる弾性部材の確実な保持を維持しつつ、コストの低減を図る。また、外壁目地内の適切な深さ位置に均一に弾性部材を押し込むことを可能とする。【解決手段】外壁目地施工具１は、作業者の把持部２と、外壁目地９の屋外側の端縁部に形成された面取り部１４に接触する接触面６，７を有する先細りの当接部３と、当接部３から突出して設けられる押圧部４とを備える。押圧部４の当接部３からの突出長さは、外壁目地９の面取り部１４から予め設計された弾性部材１８の適正位置までの長さと略等しい。弾性部材１８は、平板状に形成されており、押圧部４により二つ折りされて外壁目地９に押し込まれ、二つ折りされた状態で外壁目地９の適正位置に配置される。【選択図】図５
2017020163.tif 000002
【特許請求の範囲】
【請求項１】
折曲可能であり、且つ、厚さ方向に圧縮可能な弾性を有する長尺な平板状に形成され、板幅が外壁目地の目地幅よりも長い弾性部材を、前記外壁目地内に挿入した外壁目地構造であって、
前記弾性部材は、板幅方向の中央を折曲した二つ折り状態で前記外壁目地内に押し込まれた状態で保持されることを特徴とする外壁目地構造。
【請求項２】
前記弾性部材は、前記外壁目地に沿って当該外壁目地の屋外側に配置され、前記弾性部材の板幅方向の中央を前記外壁目地内に押し込むことにより、当該弾性部材が二つ折り状態で前記外壁目地内に押し込まれた状態で保持されることを特徴とする請求項１に記載の外壁目地構造。
【請求項３】
外壁目地に屋外側から弾性変形可能な弾性部材を押し込む外壁目地施工具であって、
作業者が把持する把持部と、
前記外壁目地の屋外側の端縁部が屋外側へ行くに従って目地幅が大きくなるよう傾斜した面取り部とされ、両側の前記面取り部にそれぞれ接触する２つの接触面を有し、前記弾性部材を押し込む方向へ向かって先細る当接部と、
前記当接部から前記弾性部材を押し込む方向へ突出して設けられ、前記弾性部材を目地奥に押し込む押圧部と、を備え、
前記押圧部は、板厚が前記外壁目地の幅以下の平板状に形成されており、前記当接部からの突出長さが、前記面取り部から予め設計された前記弾性部材の適正位置までの屋内方向への長さと略等しいことを特徴とする外壁目地施工具。
【請求項４】
前記押圧部は、長尺の平板状に形成された前記弾性部材を押し込むものであり、
幅方向略中央部で二つ折りされた前記弾性部材の二重部分の幅は、前記外壁目地の前記目地幅よりも大きくなり、
前記押圧部の板厚は、前記外壁目地の前記目地幅の方向に前記弾性部材が二重になるよう前記外壁目地に押し込まれた際に、前記二重部分で前記押圧部が挟まれた状態とできる板厚とされていることを特徴とする請求項３に記載の外壁目地施工具。
【請求項５】
請求項３または請求項４に記載の外壁目地施工具を用いて、前記外壁目地に前記弾性部材を押し込んで施工する方法であって、
前記弾性部材は、耐火性および弾性を有し、前記外壁目地に沿う長尺の平板状とされ、板幅が前記外壁目地の前記目地幅よりも大きく形成されており、
前記弾性部材と前記外壁目地の屋外側の開口部とが互いに対応した状態で前記弾性部材の幅方向両端部が外壁の屋外側の面に接触して配置され、前記押圧部の先端部を前記弾性部材の幅方向略中央部に接触させて前記外壁目地内に押し込むことで前記弾性部材が二つ折りにされた後、前記面取り部に前記接触面が当接するまで、前記押圧部により二つ折り状態の前記弾性部材が前記外壁目地内に押し込まれて適正位置に配置されることを特徴とする外壁目地施工方法。
【発明の詳細な説明】
【技術分野】
【０００１】
本発明は、外壁目地に弾性変形可能な弾性部材を押し込むことで構成された外壁目地構造とその外壁目地施工方法、および外壁目地に屋外側から弾性部材を押し込む際に用いられる外壁目地施工具に関するものである。
【背景技術】
【０００２】
下記特許文献１には、熱膨張性耐火材を含む弾性変形可能なバックアップ体に、該バックアップ体の外周面の一箇所に長手方向に沿って開口する溝部が形成され、この溝部の形成領域以外のバックアップ体の外周面が、前記溝部の開口側とは反対側ほど先細りとなる輪郭形状に形成されている目地用耐火バックアップ材が開示されている。この目地用耐火バックアップ材は、バックアップ体の先細り側を目地の開口に対面する状態で、目地に押し込まれる。
【０００３】
このようにして目地に押し込まれることで、壁パネルの製品精度や施工誤差などにより目地の幅が広くなった場合において、目地の幅よりも幅広に形成された弾性を有する目地用耐火バックアップ材を単に弾性変形させて目地に押し込む場合と比較して、目地内に目地用耐火バックアップ材を保持しておく力が高い。従って、目地用耐火バックアップ材が目地内部から屋内側へ飛び出したり、目地内部から目地用耐火バックアップ材が抜け落ちたりすることを抑制することができる。
【０００４】
ところで、互いに隣接する外壁材の間の目地には、耐火材や防水のためのシーリング材、このシーリング材の下地であるバックアップ材などの目地材が設けられる。このような目地材は、ヘラ状の工具を用いて目地内に押し込まれている。単にヘラ状の工具で目地内に目地材を押し込む場合、目地内の適切な深さ位置に均一に目地材を押し込むことが困難であった。
【０００５】
そこで、目地内に均一に目地材を押し込むために、種々の提案がなされている。たとえば、下記特許文献２には、バックアップ材を挿入する治具であって、一対のストッパー板を備え、このストッパー板が外壁の屋外側の面に当接することで、それ以上治具が挿入できなくなり、これにより目地内に均一にバックアップ材を押し込むことができるバックアップ材挿入治具が提案されている。
【先行技術文献】
【特許文献】
【０００６】
【特許文献１】特開２０１０−５９７０６号公報
【特許文献２】特開平１１−３３６３１３号公報
【発明の概要】
【発明が解決しようとする課題】
【０００７】
しかしながら、上記特許文献１に開示された目地用耐火バックアップ材は、湾曲した形状または屈曲した形状に形成されるので、形状が複雑となり、製造コストが高くなる。また、上記特許文献２に開示された治具は、外壁の屋外側の面に治具の一部を当接させることで目地材を押し込むものであるので、外壁の屋外側の面に立体的な装飾などがなされて凹凸がある場合には、目地全体にわたって、目地内に均一に目地材を押し込むことができない。目地内に均一に押し込まれない場合には、目地材としての性能を十分に発揮できないおそれがある。
【０００８】
本発明は、このような問題に鑑みてなされたものであり、その主たる目的は、外壁目地内に弾性変形しつつ押し込まれる弾性部材の確実な保持を維持しつつ、コストの低減を図ることにある。また、外壁目地内の適切な深さ位置に均一に弾性部材を押し込むことを課題とする。
【課題を解決するための手段】
【０００９】
上記目的を達成するための本発明に係る外壁目地構造は、折曲可能であり、且つ、厚さ方向に圧縮可能な弾性を有する長尺な平板状に形成され、板幅が外壁目地の目地幅よりも長い弾性部材を、前記外壁目地内に挿入した外壁目地構造であって、前記弾性部材は、板幅方向の中央を折曲した二つ折り状態で前記外壁目地内に押し込まれた状態で保持されることを特徴とする。
【００１０】
また、本発明に係る外壁目地構造は、前記弾性部材は、前記外壁目地に沿って当該外壁目地の屋外側に配置され、前記弾性部材の板幅方向の中央を前記外壁目地内に押し込むことにより、当該弾性部材が二つ折り状態で前記外壁目地内に押し込まれた状態で保持されることを特徴とする。
【００１１】
上記目的を達成するための本発明に係る外壁目地施工具は、外壁目地に屋外側から弾性変形可能な弾性部材を押し込む外壁目地施工具であって、作業者が把持する把持部と、前記外壁目地の屋外側の端縁部が屋外側へ行くに従って目地幅が大きくなるよう傾斜した面取り部とされ、両側の前記面取り部にそれぞれ接触する２つの接触面を有し、前記弾性部材を押し込む方向へ向かって先細る当接部と、前記当接部から前記弾性部材を押し込む方向へ突出して設けられ、前記弾性部材を目地奥に押し込む押圧部と、を備え、前記押圧部は、板厚が前記外壁目地の幅以下の平板状に形成されており、前記当接部からの突出長さが、前記面取り部から予め設計された前記弾性部材の適正位置までの屋内方向への長さと略等しいことを特徴とする。
【００１２】
また、本発明に係る外壁目地施工具は、前記押圧部は、長尺の平板状に形成された前記弾性部材を押し込むものであり、幅方向略中央部で二つ折りされた前記弾性部材の二重部分の幅は、前記外壁目地の前記目地幅よりも大きくなり、前記押圧部の板厚は、前記外壁目地の前記目地幅の方向に前記弾性部材が二重になるよう前記外壁目地に押し込まれた際に、前記二重部分で前記押圧部が挟まれた状態とできる板厚とされていることを特徴とする。
【００１３】
上記目的を達成するための本発明に係る外壁目地施工方法は、前記外壁目地施工具を用いて、前記外壁目地に前記弾性部材を押し込んで施工する方法であって、前記弾性部材は、耐火性および弾性を有し、前記外壁目地に沿う長尺の平板状とされ、板幅が前記外壁目地の前記目地幅よりも大きく形成されており、前記弾性部材と前記外壁目地の屋外側の開口部とが互いに対応した状態で前記弾性部材の幅方向両端部が外壁の屋外側の面に接触して配置され、前記押圧部の先端部を前記弾性部材の幅方向略中央部に接触させて前記外壁目地内に押し込むことで前記弾性部材が二つ折りにされた後、前記面取り部に前記接触面が当接するまで、前記押圧部により二つ折り状態の前記弾性部材が前記外壁目地内に押し込まれて適正位置に配置されることを特徴とする。
【発明の効果】
【００１４】
本発明に係る外壁目地構造によれば、平板状の弾性部材が二つ折りされることで、弾性部材全体の厚みが増すことになり、その厚みが増した状態で外壁目地内に押し込まれて保持されるため、弾性部材を外壁目地に確実に保持することができる。このようにして、弾性部材の外壁目地への付勢力が高い状態で保持されるため、弾性部材が外壁目地から落下したりずれたりすることが抑制され、施工後の手直しをする手間が省けて施工効率を向上させることができる。また、弾性部材は、平板状に形成されているため、簡易な形状とすることができ、弾性部材の製造コストを低減することができる。
【００１５】
本発明に係る外壁目地構造によれば、弾性部材の幅方向略中央部を外壁目地内に押し込むだけで二つ折りすることができるため、容易に二つ折りすることができ、作業性に優れている。
【００１６】
本発明に係る外壁目地施工具によれば、外壁目地に屋外側から弾性部材を押し込む際、先細りに形成された当接部の接触面と、外壁目地の屋外側の端縁部に形成された面取り部とが当接することで、それ以上外壁目地施工具が外壁目地に挿入されるのを防止することができる。このようにして、接触面と面取り部との当接によって外壁目地施工具の外壁目地への挿入が防止されるので、外壁目地全体にわたって、弾性部材を均一に押し込むことができる。本発明に係る外壁目地施工具によれば、押圧部の突出長さが、面取り部から予め設計された弾性部材の適正位置までの屋内方向への長さと略等しく形成されていることで、接触面と面取り部とが当接するまで外壁目地施工具を押し込むだけで、外壁目地内の適切な深さ位置に弾性部材を配置することができる。
【００１７】
また、本発明に係る外壁目地施工具によれば、押圧部の板厚が、外壁目地の目地幅の方向に弾性部材が二重になるよう外壁目地に押し込まれた際に、二重部分で押圧部が挟まれた状態とできる板厚とされている。すなわち、外壁目地の幅と比較して、押圧部の板厚を十分薄く形成することで、弾性部材を二つ折りにして押し込むことができる。このようにして弾性部材を二つ折りにすることで、弾性部材を外壁目地内により確実に保持することができる。また、弾性部材は、平板状に形成されるため、簡易な形状とすることができ、弾性部材の製造コストを低減することができる。
【００１８】
本発明に係る外壁目地施工方法によれば、外壁目地施工具の押圧部を弾性部材に当接させて押し込むだけで、容易に弾性部材を二つ折りにすることができる。また、接触面と面取り部とが当接するまで外壁目地施工具を押し込むだけで、外壁目地内の適切な深さ位置に弾性部材を配置することができる。このようにして二つ折り状態で弾性部材が外壁目地の適正位置に配置されるため、弾性部材が屋内側へ飛び出したり、弾性部材が外壁目地から抜け落ちたりすることを抑制することができ、耐火目地材としての機能を果たすことができる。
【図面の簡単な説明】
【００１９】
【図１】本発明の外壁目地施工具の一実施例を示す側面図である。
【図２】図１の外壁目地施工具の平面図である。
【図３】図１の外壁目地施工具の使用状態を示す概略平面図であり、弾性部材の押し込み前を示している。
【図４】図１の外壁目地施工具の使用状態を示す概略平面図であり、図３の状態から弾性部材を外壁目地に押し込んだ状態を示している。
【図５】図１の外壁目地施工具の使用状態を示す概略平面図であり、図４の状態からさらに弾性部材を押し込み、弾性部材を適正位置に配置した状態を示している。
【図６】図１の外壁目地施工具を用いて弾性部材を適正位置に配置した状態を示す概略平面図であり、（ａ）は外壁目地の目地幅が最小の場合を示す図、（ｂ）は外壁目地の目地幅が最大の場合を示す図である。
【発明を実施するための形態】
【００２０】
以下、本発明の具体的実施例を図面に基づいて詳細に説明する。
【００２１】
図１および図２は、本発明の外壁目地施工具の一実施例を示す図であり、図１は右側面図、図２は平面図である。本実施例の外壁目地施工具１は、作業者が把持する把持部２と、前端部が先細りに形成されている当接部３と、当接部３に設けられる板状の押圧部４とを備える。
【００２２】
本実施例では、把持部２と当接部３とは、合成樹脂にて一体形成されている。把持部２は、側面視略コ字形状に形成されている。当接部３は、上下方向を長手方向とする長尺の略矩形のブロック状に形成されている。当接部３の前端部には、当接部３の前端から後方へ行くに従って左方へ傾斜する接触面６が形成されると共に、当接部３の前端から後方へ行くに従って右方へ傾斜する接触面７が形成されている。本実施例では、当接部３の前側の左右の角部が面取りされて、接触面６，７が形成されている。このようにして、２つの接触面６，７は、当接部３の前端から後方へ行くに従って互いに離隔するよう傾斜しており、これにより、当接部３の前端部が先細りに形成される。図２に示されるように、当接部３の前面には、後方へ凹んで溝部８が形成されている。
【００２３】
押圧部４は、上下方向を長手方向とする略長方形の金属製の板状とされ、四隅が略円弧状に形成されている。図１および図２に示されるように、押圧部４は、当接部３に形成された溝部８に差し込まれて固定されている。この際、押圧部４は、当接部３の前端部から突出するようにして、当接部３に設けられる。板状の押圧部４の当接部３からの突出長さＡは、板面全体にわたって略同一とされる。すなわち、押圧部４は、上下に傾斜することなく、当接部３から水平に突出しており、当接部３から押圧部４の先端までの長さ（突出長さＡ）が、押圧部４の上部、押圧部４の下部など、上下方向どの箇所でも略同一とされる。
【００２４】
次に、本実施例の外壁目地施工具１の使用について説明する。図３から図５は、本実施例の外壁目地施工具を用いた外壁目地施工方法を時系列に示している。図３から図５に示されるように、本実施例では、外壁目地９は、屋外に露出して配置されて隣接する板状の外壁パネル１０，１０間に形成される隙間１１と、外壁パネル１０の屋内側に配置される一対の屋内部材１２，１２間に形成される隙間１３とから構成される。なお、隙間１１の幅と隙間１３の幅は、ほぼ同一に形成されている。
【００２５】
外壁目地９の屋外側の端縁部は、屋外側へ行くに従って目地幅が大きくなるよう傾斜した面取り部１４，１４とされている。左右両側の面取り部１４，１４は、屋外方向へ行くに従って互いに離隔するよう傾斜している。言い換えれば、隣接する外壁パネル１０，１０の屋外側の互いに向かい合う端縁部にそれぞれ、面取り部１４，１４が形成されている。このようにして、左側に配置される外壁パネル１０の小口面は、屋外側端部から屋内側へ行くに従って右方へ傾斜した後、屋内方向へ延出して形成されている。一方、右側に配置される外壁パネル１０の小口面は、屋外側端部から屋内側へ行くに従って左方へ傾斜した後、屋内方向へ延出して形成されている。
【００２６】
屋内部材１２は、外壁パネル１０の屋内側に配置され、外壁パネル１０，１０間の隙間１１と互いに連通する隙間１３を形成する。本実施例の屋内部材１２は、リップ溝形鋼とされる。隣接する一対のリップ溝形鋼１２，１２は、開口が互いに逆方向へ向くようにして、背合わせに配置される。この際、隣接するリップ溝形鋼１２，１２のウェブ１５，１５間に、隙間１３が形成される。
【００２７】
屋内部材１２，１２間の隙間１３を横切るようにして、横断部材１６が配置される。本実施例の横断部材１６は、ボルト１６とされる。具体的には、隣接するリップ溝形鋼１２，１２は、ウェブ１５，１５間の隙間１３を横切ると共に両ウェブ１５を貫通して設けられるボルト１６と、このボルト１６にねじ込まれるナット１７とにより、横綴りされる。
【００２８】
弾性部材１８は、折曲可能であり、且つ、厚さ方向に圧縮可能な弾性を有する長尺の平板状に形成されている。弾性部材１８は、外壁目地９に弾性変形しつつ押し込まれる部材であり、本実施例では、耐火性および遮炎性を有する耐火目地材とされる。弾性部材１８の板幅は、外壁目地９の目地幅よりも大きく形成されている。より具体的には、図３に示されるように、弾性部材１８の板幅は、外壁目地９の屋外側開口部、すなわち、面取り部１４，１４間の最も幅広の箇所の幅よりも大きく形成されている。また、本実施例では、弾性部材１８の板厚は、外壁目地９の面取り部１４を除いた箇所の目地幅よりも大きく形成されている。
【００２９】
このような弾性部材１８を外壁目地９に押し込む際には、まず、図３に示されるように、外壁目地９に沿って外壁目地９の屋外側に配置される。具体的には、弾性部材１８と外壁目地９の屋外側の開口部とが互いに対応した状態で、弾性部材１８の幅方向両端部が外壁の屋外側の面に接触して配置される。すなわち、弾性部材１８の左端部が左側に配置される外壁パネル１０の屋外側の面に当接されると共に、弾性部材１８の右端部が右側に配置される外壁パネル１０の屋外側の面に当接されて、外壁目地９の屋外側の開口部を覆うようにして、外壁目地９に沿って配置される。この状態から、前述した外壁目地施工具１により、後述するようにして弾性部材１８が外壁目地９に押し込まれる。
【００３０】
図４に示されるように、作業者１９は、外壁目地施工具１の把持部２を握り、押圧部４の先端部を弾性部材１８の幅方向略中央部に接触させた状態で、外壁目地施工具１を外壁目地９内に屋内方向へ押し込む。これにより、弾性部材１８の幅方向両端部が外壁パネル１０に接触しているため、弾性部材１８が二つ折りにされて外壁目地９内に押し込まれる。この第一押込操作は、弾性部材１８を押し込む方向へ向かって先細る当接部３が、外壁目地９の小口面に当接するまで行われる。具体的には、外壁目地施工具１の接触面６，７が外壁パネル１０，１０に形成された面取り部１４，１４に当接するまで行われる。この際、押圧部４の先端部は、二つ折りされた弾性部材１８の二重部分で挟まれた状態とされている。なお、二つ折りされた弾性部材１８の二重部分の幅、すなわち、平板状の弾性部材１８の左部の板厚と右部の板厚とを足した長さは、外壁目地９の面取り部１４を除いた箇所の目地幅よりも大きくなる。
【００３１】
前述したように、押圧部４は、弾性部材１８を外壁目地９に押し込むものであり、弾性部材１８と共に外壁目地９内に押し込まれる。このことから、押圧部４は、当接部３から弾性部材１８を押し込む方向へ突出して当接部３に設けられ、板厚が外壁目地９の幅以下とされる。具体的には、押圧部４の板厚は、外壁目地９の目地幅の方向に弾性部材１８が二重になるよう外壁目地９に押し込まれた際に、弾性部材１８の二重部分で押圧部４が挟まれた状態とできる板厚とされている。
【００３２】
このようにして、押圧部４の先端部を弾性部材１８の幅方向略中央部に接触させて外壁目地９内に押し込むことで、弾性部材１８が二つ折りされて外壁目地９に押し込まれた後、弾性部材１８の二重部分から外壁目地施工具１が抜き取られる。そして、図５に示されるように、二つ折りされた弾性部材１８の屋外側端面（二つ折りされた弾性部材１８の開放両端部の先端面２０）に押圧部４の先端部を接触させて、外壁目地施工具１を外壁目地９内に屋内方向へ押し込むことで、弾性部材１８が二つ折りされた状態でさらに外壁目地９の屋内側に押し込まれ、適正位置に配置される。この第二押込操作は、第一押込操作と同様にして、外壁目地施工具１の接触面６，７が外壁パネル１０，１０に形成された面取り部１４，１４に当接するまで行われる。この際、弾性部材１８は、二つ折りされた状態で、外壁目地９の内、一対のリップ溝形鋼１２，１２同士を横綴りするボルト１６よりも屋外側の領域に配置される。すなわち、外壁目地９の内、ボルト１６よりも屋外側の領域に適正位置が設定されている。
【００３３】
このようにして、外壁目地施工具１により、外壁目地９に屋外側から弾性部材１８を押し込むことができる。そして、弾性部材１８が板幅方向略中央を折曲した二つ折り状態で外壁目地９に押し込まれて保持された外壁目地構造を構成することができる。なお、弾性部材１８は、外壁目地施工具１の押圧部４の上下長さよりも長く形成されており、第一押込操作と第二押込操作とが連続して行われ、この連続して行われる弾性部材１８の押込みが、弾性部材１８の長手方向に沿って行われる。具体的には、ある箇所において第一押込操作と第二押込操作とが連続して行われた後、隣接する箇所において第一押込操作と第二押込操作とが連続して行われ、それが弾性部材１８の長手方向に沿って順次行われる。
【００３４】
なお、本実施例では、面取り部１４の屋内外方向に対する勾配Ｘと、当接部３の屋内外方向に対する勾配Ｙとが異なる勾配とされている。図示例では、面取り部１４の屋内外方向に対する勾配Ｘが３０°とされ、当接部３の屋内外方向に対する勾配Ｙが４５°とされている。すなわち、面取り部１４の屋内外方向に対する勾配Ｘよりも、当接部３の屋内外方向に対する勾配Ｙが大きく形成されている。
【００３５】
ところで、押圧部４の当接部３からの突出長さＡは、面取り部１４から予め設計された弾性部材１８の適正位置までの屋内方向への長さと略等しい。すなわち、押圧部４の突出長さＡは、接触面６，７が面取り部１４，１４に当接した際に弾性部材１８が外壁目地９の適正位置に配置される長さとされる。ここで、適正位置とは、外壁目地９内において弾性部材１８が配置されるべき位置のことである。本実施例では、図５に示されるように、面取り部１４から前記適正位置までの屋内方向への長さとは、面取り部１４の屋内側端縁から適正位置に配置された弾性部材１８の屋外側端面までの長さＢのことである。
【００３６】
図６は、本実施例の外壁目地施工具を用いて弾性部材を適正位置に配置した状態を示す概略平面図であり、（ａ）は外壁目地の目地幅が最小の場合を示す図、（ｂ）は外壁目地の目地幅が最大の場合を示す図である。外壁目地９の幅は、施工品質に一定の許容範囲が設けられている。ここでは、施工品質として、外壁目地９の幅が１１ｍｍ±２ｍｍの範囲で許容されている場合について説明する。すなわち、図６（ａ）が、外壁目地９の目地幅が最小値Ｗ１（９ｍｍ）の場合を示しており、図６（ｂ）が、外壁目地９が最大値Ｗ２（１３ｍｍ）の場合を示している。
【００３７】
図６（ａ）および図６（ｂ）に示されるように、外壁目地９の目地幅が大きくなるにつれ、押圧部４が外壁目地９の奥深くに押し込まれて、押圧部４の先端が外壁目地９の奥深くに配置されることになる。具体的には、外壁目地９の目地幅が最小値Ｗ１である９ｍｍの場合には、面取り部１４の屋外側端縁から押圧部４の先端までの長さＬ１が最も短くなる。一方、外壁目地９の目地幅が最大値Ｗ２である１３ｍｍの場合には、面取り部１４の屋外側端縁から押圧部４の先端までの長さＬ２が最も長くなる。従って、外壁目地９の目地幅が最小の場合には、押圧部４の外壁目地９への押込みが最も浅くなり、これにより弾性部材１８の外壁目地９内での位置が最も浅くなる。外壁目地９の目地幅が最大の場合には、押圧部４の外壁目地９への押込みが最も深くなり、これにより弾性部材１８の外壁目地９内での位置が最も深くなる。
【００３８】
本実施例では、外壁目地９の目地幅が最小の場合において、押圧部４の当接部３からの突出長さＡと、面取り部１４の屋内側端縁から適正位置に配置された弾性部材１８の屋外側端面までの長さＢとが略等しい。従って、押圧部４の外壁目地９への押込みが最も浅い場合においても、弾性部材１８を外壁目地９内の適正位置に押し込んで配置することができる。一方、外壁目地９の目地幅が最大の場合には、押圧部４の外壁目地９への押込みが最も深くなり、弾性部材１８が適正位置よりも若干奥深くに押し込まれて配置されることになる。
【００３９】
通常、耐火目地材である弾性部材１８の屋外側には、防水のためのシーリング材や、シーリング材のためのバックアップ材などが設けられる。シーリング材は、外壁目地９の屋内外方向の長さが決められており、その決められた長さよりも小さい場合、地震などによりシーリング材が損傷するおそれがある。従って、シーリング材は、決められた長さ以上になるように、外壁目地９に設けなければならない。このことから、シーリング材などよりも屋内側に配置される本実施例の弾性部材１８は、適正位置よりも屋外側に配置されないようにする必要がある。前述したように、本実施例では、弾性部材１８は、外壁目地９の目地幅が最小の場合に適正位置に配置され、外壁目地９の目地幅が最大の場合に適正位置よりも若干屋内側に配置される。従って、本実施例では、弾性部材１８の屋外側に配置されるシーリング材などに悪影響を及ぼすことがなく、シーリング材の防水性能を十分に長期間保ち続けることができる。
【００４０】
本実施例によれば、第一押込操作と第二押込操作とにより外壁目地９に屋外側から弾性部材１８を押し込む際、外壁目地施工具１の当接部３の接触面６，７が外壁パネル１０，１０の面取り部１４，１４に当接することで、それ以上外壁目地施工具１が外壁目地９内に挿入されるのを防止することができる。従って、外壁パネルの屋外側の面に立体的な装飾が施されて凹凸がある場合においても、外壁目地９全体にわたって、弾性部材１８を均一に押し込むことができる。また、本実施例によれば、押圧部４の当接部３からの突出長さＡと、外壁パネル１０の面取り部１４から弾性部材１８の適正位置までの長さＢとが略等しいため、当接部３の接触面６，７と外壁パネル１０，１０の面取り部１４，１４とが当接するまで外壁目地施工具１を挿入するだけで、外壁目地９内の適正位置に弾性部材１８を配置することができる。この場合、図５に示されるように、外壁目地施工具１が外壁パネル１０に当接するまで挿入された際、外壁目地９の面取り部１４の端縁の深さ位置に、押圧部４の当接部３からの突出部分の基端が配置されて、外壁目地９の面取り部１４の端縁の深さ位置から押圧部４が突出する状態とされる。
【００４１】
また、本実施例によれば、押圧部４の板厚が、弾性部材１８が二つ折りされて外壁目地９に押し込まれた際に、弾性部材１８の二重部分で押圧部４が挟まれた状態とすることができる板厚とされている。このようにして、外壁目地９の面取り部１４を除いた箇所の幅と比較して、押圧部４の板厚を十分薄く形成することで、弾性部材１８を二つ折りにして押し込むことができる。弾性部材１８を二つ折りにして外壁目地９に押し込むことで、弾性部材１８全体の厚みが増した状態で外壁目地９内に配置されるため、弾性部材１８を外壁目地９内により確実に保持することができる。
【００４２】
また、本実施例によれば、弾性部材１８が平板状に形成されているため、湾曲または屈曲された形状の場合と比較して、弾性部材１８の形状を簡易にすることができ、弾性部材１８の製造コストを低減することができる。また、本実施例によれば、外壁目地施工具１を弾性部材１８に接触させつつ押し込むことで、弾性部材１８を二つ折りにして外壁目地９内に押し込むことができるため、作業者１９の熟練度に左右されることなく、容易に弾性部材１８を二つ折り状態で外壁目地９に押し込むことができる。
【００４３】
また、本実施例によれば、第一押込操作および第二押込操作において、当接部３の接触面６，７と外壁パネル１０，１０の面取り部１４，１４とが当接するまで弾性部材１８が外壁目地９に押し込まれることで、適正位置に弾性部材１８が配置される。従って、弾性部材１８が屋内側へ飛び出すことがない。また、二つ折り状態で弾性部材１８が外壁目地９内に配置されるため、弾性部材１８が外壁目地９から抜け落ちることを防止することができる。従って、弾性部材１８として耐火目地材を用いた場合、耐火目地材としての機能を十分果たすことができる。
【００４４】
また、本実施例によれば、弾性部材１８が適正位置まで一度に押し込まれるのではなく、適正位置よりも屋外側に一旦配置される。これにより、適正位置よりも屋外側の中途まで押し込まれる間に弾性部材１８に不具合が生じて弾性部材１８を抜き取る場合、適正位置まで押し込まれた場合と比較して、弾性部材１８が外壁目地９の屋外側に配置されているため、外壁目地９から容易に弾性部材１８を抜き取ることができ、弾性部材１８の施工のやり直しを容易に行うことができる。また、本実施例によれば、ボルト１６よりも屋外側に弾性部材１８が配置されるため、ボルト１６に弾性部材１８が接触して変形することがなく、弾性部材１８の機能の低下を防止することができる。
【００４５】
また、本実施例によれば、当接部３から押圧部４の先端までの長さが、押圧部４の上部、押圧部４の下部など、上下方向どの箇所でも略同一とされるため、弾性部材１８を均一に押し込むことができる。また、本実施例によれば、面取り部１４の屋内外方向に対する勾配Ｘよりも、当接部３の屋内外方向に対する勾配Ｙが大きく形成されているため、弾性部材１８のビニールの挟み込みを軽減することができる。さらに、本実施例によれば、外壁目地施工具１の当接部３が合成樹脂製とされることで、金属製の場合と比較して、外壁パネル１０を傷付ける可能性を低くすることができる。
【００４６】
本発明は、前記実施例の構成に限らず、適宜変更可能である。たとえば、前記実施例では、弾性部材１８は、適正位置よりも屋外側に一旦配置された後、適正位置に押し込まれたが、適正位置まで一度に押し込まれてもよい。具体的には、押圧部４の先端部を弾性部材１８に接触させて、接触面６，７と面取り部１４，１４とが当接するまで、外壁目地施工具１を外壁目地９内に屋内方向へ押し込むことで、弾性部材１８が二つ折りされた状態で適正位置に押し込まれる。このようにして、弾性部材１８が二つ折りされた後、面取り部１４，１４に接触面６，７が当接するまで、押圧部４により二つ折り状態の弾性部材１８が外壁目地９に押し込まれて、弾性部材１８が適正位置に配置される。
【００４７】
この場合、前記実施例の図４の状態において、弾性部材１８が適正位置に配置されることになる。適正位置に配置された状態において、押圧部４の先端部は、二つ折りされた弾性部材１８の二重部分に挟まれた状態とされる。この場合、押圧部４の突出長さＡは、面取り部１４の屋内側端縁から適正位置に配置された弾性部材１８の二重部分の屋内側端縁、すなわち、弾性部材１８の左部と右部との当接箇所の屋内側端縁までの長さと略等しい。
【００４８】
また、前記実施例では、外壁目地施工具１は、弾性部材１８を二つ折りして外壁目地９に押し込むものとされたが、外壁目地９の幅よりも大きく形成された弾性を有する弾性部材を外壁目地９に単に弾性変形させて押し込む場合に使用してもよい。すなわち、外壁目地施工具１により押し込まれる弾性部材１８は、二つ折りされるものに限定されるものではなく、弾性変形させつつ外壁目地９に単に押し込むものであってもよい。この場合においても、本実施例の外壁目地施工具１によれば、押圧部４の当接部３からの突出長さＡと面取り部１４の屋内側端縁から適正位置に配置された弾性部材の屋外側端面までの長さＢとが略等しいため、弾性部材を適切な深さ位置に均一に押し込むことができる。
【００４９】
前記実施例では、外壁目地９として、上下方向に沿う縦目地とされたが、これに限定されるものではなく、横目地であってもよい。この場合には、面取り部１４，１４が上下に離隔して形成され、この面取り部１４，１４に外壁目地施工具１の接触面６，７が当接するようにして、外壁目地施工具１により弾性部材１８が押し込まれる。
【００５０】
また、前記実施例では、屋内部材１２は、リップ溝形鋼とされたが、これに限定されるものではなく、隙間１１と互いに連通する隙間１３を形成するものであればよい。さらに、外壁目地施工具１の構成は、前記実施例の構成に限定されるものではなく、適宜変更可能である。
【産業上の利用可能性】
【００５１】
本発明は、外壁目地内に弾性変形可能な耐火目地材などの弾性部材を確実に保持させることができ、これに加えてコストの低減を図ることができる外壁目地構造に好適に用いられる。
【符号の説明】
【００５２】
１  外壁目地施工具
２  把持部
３  当接部
４  押圧部
６  接触面
７  接触面
９  外壁目地
１４  面取り部
１８  弾性部材
【図１】
2017020163.tif 000003
【図２】
2017020163.tif 000004
【図３】
2017020163.tif 000005
【図４】
2017020163.tif 000006
【図５】
2017020163.tif 000007
【図６】
2017020163.tif 000008
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
隣接する外壁パネルの屋外側の端縁部が屋外側へ行くに従って目地幅が大きくなるよう傾斜した面取り部から屋内方向へ形成される外壁目地に、厚さ方向に圧縮可能な弾性及び断熱性を有する長尺な平板状で、板幅方向の中央を折曲した二つ折り状態の板幅が外壁目地の目地幅よりも長い弾性部材を挿入する外壁目地施工方法において、
作業者が把持する把持部と、前記面取り部の両側にそれぞれ接触する２つの接触面を有する当接部と、前記当接部から突出して設けられ板厚が前記外壁目地の幅以下の平板状に形成された押圧部と、を備えた外壁目地施工具を用いて、
前記弾性部材を前記外壁目地に沿って当該外壁目地の屋外側に配置してから、前記弾性部材の板幅方向の中央を前記外壁目地施工具の前記押圧部で前記外壁目地内に前記面取り部に前記接触面が当接するまで押し込むことにより、当該弾性部材が二つ折り状態で前記外壁目地内に押し込まれて保持された状態とする第一押込操作と、前記押圧部を引抜いた後に、前記面取り部に前記接触面が当接するまで前記押圧部により二つ折り状態の前記弾性部材の先端面を前記外壁目地内に押し込む第二押込操作とが連続して行われることにより、外壁目地の屋外側の適正位置に弾性部材が配置されることを特徴とする外壁目地施工方法。
【手続補正３】
【補正対象書類名】明細書
【補正対象項目名】０００１
【補正方法】変更
【補正の内容】
【０００１】
本発明は、外壁目地に弾性変形可能な弾性部材を押し込むことで構成された外壁目地構造とその外壁目地施工方法に関するものである。
【手続補正４】
【補正対象書類名】明細書
【補正対象項目名】０００９
【補正方法】変更
【補正の内容】
【０００９】
上記目的を達成するための本発明に係る外壁目地施工方法は、隣接する外壁パネルの屋外側の端縁部が屋外側へ行くに従って目地幅が大きくなるよう傾斜した面取り部から屋内方向へ形成される外壁目地に、厚さ方向に圧縮可能な弾性及び断熱性を有する長尺な平板状で、板幅方向の中央を折曲した二つ折り状態の板幅が外壁目地の目地幅よりも長い弾性部材を挿入する外壁目地施工方法において、
作業者が把持する把持部と、前記面取り部の両側にそれぞれ接触する２つの接触面を有する当接部と、前記当接部から突出して設けられ板厚が前記外壁目地の幅以下の平板状に形成された押圧部と、を備えた外壁目地施工具を用いて、
前記弾性部材を前記外壁目地に沿って当該外壁目地の屋外側に配置してから、前記弾性部材の板幅方向の中央を前記外壁目地施工具の前記押圧部で前記外壁目地内に前記面取り部に前記接触面が当接するまで押し込むことにより、当該弾性部材が二つ折り状態で前記外壁目地内に押し込まれて保持された状態とする第一押込操作と、前記押圧部を引抜いた後に、前記面取り部に前記接触面が当接するまで前記押圧部により二つ折り状態の前記弾性部材の先端面を前記外壁目地内に押し込む第二押込操作とが連続して行われることにより、外壁目地の屋外側の適正位置に弾性部材が配置されることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
本発明の外壁目地施工方法において、外壁目地施工具を用いて、外壁目地に屋外側から弾性部材を押し込む際、先細りに形成された当接部の接触面と、外壁目地の屋外側の端縁部に形成された面取り部とが当接することで、それ以上外壁目地施工具が外壁目地に挿入されるのを防止することができる。このようにして、接触面と面取り部との当接によって外壁目地施工具の外壁目地への挿入が防止されるので、外壁目地全体にわたって、弾性部材を均一に押し込むことができる。又、本発明の外壁目地施工方法によれば、押圧部の突出長さが、面取り部から予め設計された弾性部材の適正位置までの屋内方向への長さと略等しく形成されていることで、接触面と面取り部とが当接するまで外壁目地施工具を第一押込操作と第二押込操作を連続して行うだけで、外壁目地内の適切な深さ位置に弾性部材を配置することができる。
【手続補正１２】
【補正対象書類名】明細書
【補正対象項目名】００１７
【補正方法】変更
【補正の内容】
【００１７】
また、本発明に係る外壁目地施工方法によれば、押圧部の板厚が、外壁目地の目地幅の方向に弾性部材が二重になるよう外壁目地に押し込まれた際に、二重部分で押圧部が挟まれた状態とできる板厚とされている。すなわち、外壁目地の幅と比較して、押圧部の板厚を十分薄く形成することで、弾性部材を二つ折りにして押し込むことができる。このようにして弾性部材を二つ折りにすることで、弾性部材を外壁目地内により確実に保持することができる。また、弾性部材は、平板状に形成されるため、簡易な形状とすることができ、弾性部材の製造コストを低減することができる。
【手続補正１３】
【補正対象書類名】明細書
【補正対象項目名】００１８
【補正方法】変更
【補正の内容】
【００１８】
本発明に係る外壁目地施工方法によれば、外壁目地施工具の押圧部を弾性部材に当接させて押し込むだけで、容易に弾性部材を二つ折りにすることができる。また、接触面と面取り部とが当接するまで外壁目地施工具を第一押込操作と第二押込操作を連続して行うだけで、外壁目地内の適切な深さ位置に弾性部材を配置することができる。このようにして二つ折り状態で弾性部材が外壁目地の適正位置に配置されるため、弾性部材が屋内側へ飛び出したり、弾性部材が外壁目地から抜け落ちたりすることを抑制することができ、耐火目地材としての機能を果たすことができる。
【手続補正１４】
【補正対象書類名】明細書
【補正対象項目名】００１９
【補正方法】変更
【補正の内容】
【００１９】
【図１】本発明で使用する外壁目地施工具の一実施例を示す側面図。
【図２】図１の外壁目地施工具の平面図。
【図３】図１の外壁目地施工具の使用状態を示す概略平面図であり、弾性部材の押し込み前を示す。
【図４】図１の外壁目地施工具の使用状態を示す概略平面図であり、図３の状態から弾性部材を外壁目地に押し込んだ状態（第一押込操作）を示す。
【図５】図１の外壁目地施工具の使用状態を示す概略平面図であり、図４の状態（第一押込操作）からさらに弾性部材を押し込み（第二押込操作）、弾性部材を適正位置に配置した状態を示す。
【図６】図１の外壁目地施工具を用いて弾性部材を適正位置に配置した状態を示す概略平面図であり、（ａ）は外壁目地の目地幅が最小の場合を示す図、（ｂ）は外壁目地の目地幅が最大の場合を示す図。
【手続補正１５】
【補正対象書類名】明細書
【補正対象項目名】００２１
【補正方法】変更
【補正の内容】
【００２１】
図１および図２は、本発明で使用する外壁目地施工具の一実施例を示す図であり、図１は右側面図、図２は平面図である。本実施例の外壁目地施工具１は、作業者が把持する把持部２と、前端部が先細りに形成されている当接部３と、当接部３に設けられる板状の押圧部４とを備える。